(57)【特許請求の範囲】
【請求項１】
ポンプに連結されたステムの先端に取り付けられると共に前記ポンプが吸い上げた内容液を上方に導く吸上路（９）を備えた押圧ヘッド部（２）と、該押圧ヘッド部（２）の側面に突出形成され且つ前記吸上路（９）に対して略水平に連通されて前記内容液を水平方向に導く流出路（１０）及び前記内溶液を外部に排出する吐出口（１１）とを備えたノズル筒（５）と、前記流出路（１０）に連通されて前記内溶液を外部に導く吐出カバー（７）と、該吐出カバー（７）を前記ノズル筒（５）に対して回動可能に連結するヒンジ（６）と、を有するノズルヘッドにおいて、
前記ノズル筒（５）の先端である先筒部（８）の両外側面（８Ａ）と前記吐出カバー（７）の両内側面（７Ａ１）との一方に形成された第１係止凸部（１２ａ）と他方に形成された第１係止凹部（１２ｂ）とからなり、前記第１係止凸部（１２ａ）と前記第１係止凹部（１２ｂ）とがアンダーカット結合する第１係止部（１２）と、
前記先筒部（８）の前記両外側面（８Ａ）以外の部分と前記吐出カバー（７）の前記両内側面（７Ａ１）以外の部分との一方に形成された第２係止凸部（１３ａ）と他方に形成された第２係止凹部（１３ｂ）とからなり、前記第２係止凸部（１３ａ）と前記第２係止凹部（１３ｂ）とが互いに係止し合う第２係止部（１３）とを有し、
前記ヒンジ（６）を中心に前記吐出カバー（７）を回動させて前記先筒部（８）を覆うことにより、前記第１係止部（１２）におけるアンダーカット結合及び前記第２係止部（１３）における係止が達成されると共に、前記先筒部（８）と前記吐出カバー（７）との間に前記流出路（１０）の向きを下向きに変えて前記吐出口（１１）に導く案内路（１４）が形成されることを特徴とするノズルヘッド。
【請求項２】
ヒンジ（６）をノズル筒（５）の先端上部と吐出カバー（７）の前面（７Ｂ）上部との間に設けると共に、
第２係止部（１３）の、先筒部（８）の両外側面（８Ａ）以外の部分を前記先筒部（８）の正面（８Ｂ）に形成された下顎部（８ａ）の先端部とし、前記吐出カバー（７）の両内側面（７Ａ１）以外の部分を前記吐出カバー（７）の前面（７Ｂ）で且つ前記下顎部（８ａ）の先端部と対向する下端部とした請求項１記載のノズルヘッド。
【請求項３】
第２係止凹部（１３ｂ）が、吐出カバー（７）の前面（７Ｂ）を貫通する貫通孔（７ｂ）で形成されており、前記貫通孔（７ｂ）の上面に、下顎部（８ａ）先端で且つ第２係止凸部（１３ａ）の上部分に面対向する漏れ防止片（８ａ１）を形成した請求項２記載のノズルヘッド。
【請求項４】
吐出カバー（７）をノズル筒（５）の先端に組み付けた状態において、前記吐出カバー（７）の内壁天面（７ｃ）と前記ノズル筒（５）の流出路天面（１０ｂ）との間に前記内壁天面（７ｃ）側を上方に広げる段差（１５）を形成した請求項３記載のノズルヘッド。
【請求項５】
ヒンジ（６）を先筒部（８）の正面（８Ｂ）に形成された下顎部（８ａ）の先端部と吐出カバー（７）の前面（７Ｂ）下部との間に設けると共に、
第２係止部（１３）の、前記先筒部（８）の両外側面（８Ａ）以外の部分を前記先筒部（８）の上面（８Ｃ）とし、前記吐出カバー（７）の両内側面（７Ａ１）以外の部分を前記吐出カバー（７）の前面（７Ｂ）上部とした請求項１記載のノズルヘッド。
【請求項６】
吐出カバー（７）の内壁に、凹状の湾曲面（７ａ）を形成した請求項１乃至５のいずれか一項に記載のノズルヘッド。
【請求項７】
流出路（１０）に縮径部（１０ａ）を形成した請求項１乃至６のいずれか一項に記載のノズルヘッド。
【請求項８】
内容液が、液体口腔用組成物である請求項１乃至７のいずれか一項に記載のノズルヘッド。
【発明の詳細な説明】
【技術分野】
【０００１】
本発明は、容器内に充填された口内洗浄剤（液体口腔用組成物）や消毒用アルコールなど粘性が低く固化しにくい内容液を注出する手動押下げ注出ポンプに使用されるノズルヘッドに関する。
【背景技術】
【０００２】
化粧料や整髪料、シャンプーあるいはリンス等を入れる容器としては、ハンディータイプや据え置きタイプに拘わらずポンプを装着したものが多数市販されており、容器の外に設けられたノズルヘッドを押し下げることにより、ノズルの先端から容器内の内容液を衛生的、かつ効率的に注出することができるようになっている。このようなノズルヘッドに関する先行技術としては、例えば以下の特許文献１などが存在している。
【０００３】
特許文献１に記載のノズルヘッドは、下方に開口する吐出口部とノズル基体とからなる吐出ノズルと、押圧ヘッド部とを具備し、吐出口部は、ノズル基体の先端面上端にヒンジを介して連設されており、ヒンジに近接して吐出口部の上面とノズル基体の上面に相互に係合し合う係止部を設け、吐出口部を、ヒンジを中心に回動させ、それぞれの係止部を係合させることによって、容器内の内溶液を吐出口部から吐出するようにしたものである。
【先行技術文献】
【特許文献】
【０００４】
【特許文献１】特開２００５−２９６９２５号公報
【発明の概要】
【発明が解決しようとする課題】
【０００５】
特許文献１に記載されたノズルヘッドでは、吐出口部が回動自在に装着されると共に、吐出口部の上面とノズル基体の上面に相互に係合し合う係止部が係止解除可能に構成されている。そして、吐出口部を回動させて係合部を係止状態に設定することにより、吐出口部の吐出方向を下向きに設定することができ、吐出終了後は、係止部の係止状態を解除し吐出口部を逆方向に回動させて流出口を露出させることにより、吐出口部及びノズル基体の流路内に残って付着している内容液を取り除いて、吐出ノズルの掃除をすることができるようになっている。このため、例えばボディソープ、ハンドソープなど固化しやすい内容液でも、このノズルヘッドを利用して吐出させることができるという優れた効果を有する。
【０００６】
しかしながら、例えば内溶液の対象が口内洗浄剤（液体口腔用組成物）や消毒用のアルコールなど粘性が低く固化しにくい液体である場合に、ノズルヘッドを大きな力で押し下げると、内溶液が吐出口部から勢い良く吐出することがあり、このとき吐出した内溶液が操作者の目などに入って不測の事故を引き起こす虞れがあった。
【０００７】
本発明は、上記した従来技術における問題点を解消すべく、ノズルヘッドを押し下げたときに、粘性の低い内溶液がノズルヘッドの吐出口から勢いよく吐出することを防止することで安全性を高めた手動押下げ注出ポンプ用のノズルヘッドを創出することを課題とする。
【課題を解決するための手段】
【０００８】
上記課題を解決するための手段のうち、本発明の主たる手段は、
ポンプに連結されたステムの先端に取り付けられると共にポンプが吸い上げた内容液を上方に導く吸上路を備えた押圧ヘッド部と、押圧ヘッド部の側面に突出形成され且つ吸上路に対して略水平に連通されて内容液を水平方向に導く流出路及び内溶液を外部に排出する吐出口とを備えたノズル筒と、流出路に連通されて内溶液を外部に導く吐出カバーと、吐出カバーをノズル筒に対して回動可能に連結するヒンジと、を有するノズルヘッドにおいて、
ノズル筒の先端である先筒部の両外側面と吐出カバーの両内側面との一方に形成された第１係止凸部と他方に形成された第１係止凹部とからなり、第１係止凸部と第１係止凹部とがアンダーカット結合する第１係止部と、
先筒部の両外側面以外の部分と吐出カバーの両内側面以外の部分との一方に形成された第２係止凸部と他方に形成された第２係止凹部とからなり、第２係止凸部と第２係止凹部とが互いに係止し合う第２係止部とを有し、
ヒンジを中心に吐出カバーを回動させて先筒部を覆うことにより、第１係止部におけるアンダーカット結合及び第２係止部における係止が達成されると共に、先筒部と吐出カバーとの間に流出路の向きを下向きに変えて吐出口に導く案内路が形成されることを特徴とする、というものである。
【０００９】
上記手段を備えたノズルヘッドでは、第１係止部を構成する第１係止凸部と第１係止凹部とがアンダーカット結合することにより、第１係止部が分離不能となり、先筒部を覆うように組み付いた吐出カバーが逆方向に回動して再び先筒部が露出されることがなくなる。同時に、第２係止部を構成する第２係止凸部と第２係止凹部とが係合することにより、ノズル筒の先端に対する吐出カバーの位置決めを達成する。そして、先筒部と吐出カバーとが対向する部分に、内溶液を流出路から吐出口に導く案内路を確実に形成する。また特に第１係止部を構成する第１係止凸部及び第１係止凹部が吐出カバー内に収納されるようになり、外部に露出されることのない状態を達成する。
【００１０】
本発明の他の手段は、請求項１記載のノズルヘッドにおいて、ヒンジをノズル筒の先端上部と吐出カバーの前面上部との間に設けると共に、第２係止部の、先筒部の両外側面以外の部分を先筒部の正面に形成された下顎部の先端部とし、吐出カバーの両内側面以外の部分を吐出カバーの前面で且つ下顎部の先端部と対向する下端部とした、と云うものである。
【００１１】
上記手段では、吐出カバー前面の両端に、すなわち吐出カバー前面の一端である上端部にヒンジを形成することにより、上端部でのヒンジを中心とした吐出カバーのスムーズな回動動作を達成すると共に、吐出カバー前面の他端である下端部とこれに対向する先筒部の下顎部に第２係止部を形成して係止状態に設定することにより、組み付け後における先筒部に対する吐出カバーの位置決めを確実に達成する。
【００１２】
また本発明の他の手段は、請求項２記載のノズルヘッドにおいて、第２係止凹部が、吐出カバーの前面を貫通する貫通孔で形成されており、この貫通孔の上面に、下顎部先端で且つ第２係止凸部の上部分に面対向する漏れ防止片を形成した、と云うものである。
【００１３】
上記手段では、漏れ防止片を、下顎部先端で且つ第２係止凸部の上部分に面対向させることで、案内路を通過する内溶液の貫通孔を介しての液漏れ防止を達成する。
【００１４】
また本発明の他の手段は、請求項４記載のノズルヘッドにおいて、吐出カバーをノズル筒の先端に組み付けた状態において、吐出カバーの内壁天面とノズル筒の流出路天面との間に内壁天面側を上方に広げる段差を形成した、と云うものである。
【００１５】
上記手段では、下流側である案内路の入り口に相当する吐出カバーの内壁天面を、上流側の出口に相当する流出路の開口端よりも広げることにより、流出路から案内路に流出する際における内容液の円滑な流れを達成する。
【００１６】
また本発明の他の手段は、請求項１記載のノズルヘッドにおいて、ヒンジを先筒部の正面に形成された下顎部の先端部と吐出カバーの前面下部との間に設けると共に、
第２係止部の、先筒部の両外側面以外の部分を先筒部の上面とし、吐出カバーの両内側面以外の部分を吐出カバーの前面上部とした、と云うものである。
【００１７】
上記手段においても、吐出カバー前面の両端に、すなわち吐出カバー前面の一端である下端部にヒンジを形成することにより、下端部側でのヒンジを中心とした吐出カバーのスムーズな回動動作を達成すると共に、吐出カバー前面の他端である上端部とこれに対向する先筒部の上面に第２係止部を形成して係止状態に設定することにより、組み付け後における先筒部に対する吐出カバーの位置決めを確実に達成する。
【００１８】
また本発明の他の手段は、請求項１乃至５のいずれか一項に記載のノズルヘッドにおいて、吐出カバーの内壁に、凹状の湾曲面を形成した、と云うものである。
【００１９】
上記手段では、流出路を通過した内溶液の方向を吐出口が形成された下向きに変えると共に、内溶液の勢い（流速）の弱化を達成する。
【００２０】
また本発明の他の手段は、請求項１乃至６のいずれか一項に記載のノズルヘッドにおいて、流出路に縮径部を形成した、と云うものである。
【００２１】
上記手段では、吸上路を通じて吸い上げられた内溶液の流速を、流出路に流入する最初の位置で減速させることにより、その勢いの弱化をより効果的に達成する。
【００２２】
また本発明の他の手段は、請求項１乃至７のいずれか一項に記載のノズルヘッドにおいて、内容液が、液体口腔用組成物である、と云うものである。
【発明の効果】
【００２３】
本発明は、上記した構成となっているので、以下に示す効果を奏する。
本発明の主たる構成においては、吐出カバーをノズル筒先端に対し適正な状態で位置決めし且つ分離不能に組み付けることにより、内溶液の流出方向を変えてその勢いを弱化させる案内路を吐出口の近傍に形成することができる。このため、ノズルヘッドを押し下げたときに、吐出口から吐出する内溶液の勢い緩和され、内溶液が操作者の目などに入るという事故を防止できる。
【００２４】
また請求項２に記載の、ヒンジをノズル筒の先端上部と吐出カバーの前面上部との間に設けると共に、第２係止部の、先筒部の両外側面以外の部分を先筒部の正面に形成された下顎部の先端部とし、吐出カバーの両内側面以外の部分を吐出カバーの前面で且つ下顎部の先端部と対向する下端部とした構成では、先筒部の上端側においてヒンジを中心とする吐出カバーのスムーズな回動動作を達成すると共に、ノズル筒の先筒部に対して吐出カバーを正確に位置決めされ且つ分離不能に組み付けることができる。これにより、吐出カバーと先筒部とが対向する部分に、内溶液の勢いを弱化させる案内路を確実に形成することが可能となる。
【００２５】
また請求項３に記載の、第２係止凹部が、吐出カバーの前面を貫通する貫通孔で形成されており、この貫通孔の上面に、下顎部先端で且つ第２係止凸部の上部分に面対向する漏れ防止片を形成した構成にあっては、案内路を通過する内溶液の貫通孔からの液漏れを防止することができる。
【００２６】
また請求項４に記載の、吐出カバーをノズル筒の先端に組み付けた状態において、吐出カバーの内壁天面とノズル筒の流出路天面との間に内壁天面側を上方に広げる段差を形成した構成にあっては、流出路から案内路に流出する内容液の流れを円滑とし、内容液の漏れを防止することができる。
【００２７】
また請求項５に記載の、ヒンジを先筒部の正面に形成された下顎部の先端部と吐出カバーの前面下部との間に設けると共に、第２係止部の、先筒部の両外側面以外の部分を先筒部の上面とし、吐出カバーの両内側面以外の部分を吐出カバーの前面上部とした構成にあっても、先筒部の下端側においてヒンジを中心とする吐出カバーのスムーズな回動動作により、上記同様の効果を奏することができる。
【００２８】
また請求項６に記載の、吐出カバーの内壁に、凹状の湾曲面を形成した構成にあっては、流出路を通過した内溶液の方向を、適正な方向である吐出口が形成された下向きとなるように変えると共に内溶液の流速を減速させてその勢いを弱めることに寄与する。
【００２９】
また請求項７に記載の、流出路に縮径部を形成した構成にあっては、流出路内を流れる内溶液の勢いをより効果的に弱化させることができる。そして、このように内溶液の流速を二重に減速させることにより、ノズルヘッドを大きな力で押し下げても、ノズルヘッド先端の吐出口から内溶液が勢い良く吐出されることがなくなり、このようなノズルヘッドを有する押下げ注出ポンプの安全性、さらにはこのような注出ポンプを備えた注出容器全体の安全性を高めることが可能となる。
【図面の簡単な説明】
【００３０】
【図１】本発明のノズルヘッドの第１実施例として、吐出カバーを組み付ける前の状態を示す側面図である。
【図２】図１に示すノズルヘッドの縦断面図である。
【図３】吐出カバー組み付け後の状態を示す図１同様の側面図である。
【図４】吐出カバー組み付け後の状態を示す図２同様の縦断面図である。
【図５】図１のノズルヘッドの正面図であると共に吐出カバー組み付け前の状態を示す図である。
【図６】図３のノズルヘッドの正面図であると共に吐出カバー組み付け後の状態を示す図である。
【図７】ノズルヘッドの一部であるノズル先端を拡大して示す底面図であると共に吐出カバー組み付け前の状態を示す図である。
【図８】ノズルヘッドの一部であるノズル先端を拡大して示す底面図であると共に吐出カバー組み付け後の状態を示す図である。
【図９】本発明のノズルヘッドの第２実施例として、吐出カバーを組み付けた後の状態を示す側面図である。
【図１０】図９に示すノズルヘッドの縦断面図である。
【図１１】本発明のノズルヘッドの第３実施例として、吐出カバーを組み付ける前の状態を示す縦断面図である。
【図１２】第３実施例のノズルヘッドの先端を拡大して示す平面図であると共に、吐出カバー組み付け前の状態を示す図である。
【図１３】第３実施例のノズルヘッドの先端を拡大して示す側面図であると共に、吐出カバー組み付け前の状態を示す図である。
【図１４】第３実施例のノズルヘッドの先端を拡大して示す底面図であると共に、吐出カバー組み付け前の状態を示す図である。
【図１５】第３実施例のノズルヘッドの先端を拡大して示す正面図であると共に、吐出カバー組み付け前の状態を示す図である。
【図１６】第３実施例のノズルヘッドの先端を拡大して示す側面図であると共に、吐出カバー組み付け後の状態を示す図である。
【図１７】図１６の縦断面図である。
【図１８】第１実施例の変形例として、ノズルヘッドの先端を拡大して示す縦断面図である。
【図１９】第１実施例の他の変形例として、ノズルヘッドの先端を拡大して示す縦断面図である。
【発明を実施するための形態】
【００３１】
以下、本発明の実施の形態について図面を参照しつつ説明する。
図１は本発明のノズルヘッドの第１実施例として、吐出カバーを組み付け前の状態を示す側面図、図２は図１に示すノズルヘッドの縦断面図、図３は吐出カバー組み付け後の状態を示す図１同様の側面図、図４は吐出カバー組み付け後の状態を示す図２同様の縦断面図、図５は図１のノズルヘッドの正面図であると共に吐出カバー組み付け前の状態を示す図、図６は図３のノズルヘッドの正面図であると共に吐出カバー組み付け後の状態を示す図、図７はノズルヘッドの一部であるノズル先端を拡大して示す底面図であると共に吐出カバー組み付け前の状態を示す図、図８はノズルヘッドの一部であるノズル先端を拡大して示す底面図であると共に吐出カバー組み付け後の状態を示す図である。
【００３２】
本発明のノズルヘッド１は射出成形法により一体成形された合成樹脂製であり、図示しない容器内に設けられるポンプから口筒部を通じて容器の外部に延出されるステムの先端に取り付けられて使用されるものである。
図１及び図２等に示すように、ノズルヘッド１は、押圧ヘッド部２、連結部３及びノズル部４を有して形成されている。この実施例に示すノズル部４は、押圧ヘッド部２の側面２Ａから略水平方向に延びるノズル筒５と、このノズル筒５の先端に形成された先筒部８と、ノズル筒５の先端上部に連設されたヒンジ６と、先筒部８を覆うことが可能な吐出カバー７とを有して構成されている。
【００３３】
連結部３は押圧ヘッド部２の下面に管状に垂設されており、この連結部３の内部には垂直方向に沿って吸上路９が形成されている。図示することは省略するが、この連結部３には容器内に設けられたポンプから延びるステムの先端が連結されることにより、ノズルヘッド１が容器の口筒部の上部に取り付けられるようになっている。
【００３４】
ノズル筒５の内部には内溶液が流れる流出路１０が略水平方向に沿って形成されている。流出路１０の一端である奥部は、押圧ヘッド部２の中心方向に延び、連結部３内の吸上路９に連通している。また流出路１０の他端は先筒部８の末端まで延びており、先筒部８の正面側の端面には流出路１０の末端が開口形成されている。
【００３５】
図２に示すように、流出路１０の奥部には、流出路１０の他の区間もよりも細く絞って小さな断面積とした縮径部１０ａが形成されている。縮径部１０ａの奥部の先端は吸上路９に達しており、その長さ寸法Ｌは、吐出時に要求される内溶液の流速に応じ、流出路１０の全長の範囲内で適宜設定することができる。また内溶液の種類によって設定してもよい。
【００３６】
ノズル筒５の前方の先端に形成された先筒部８は、図１に示すように上部側よりも下部が前方に突き出る略台形状をしており、その最下部の位置には更に前方に突出する下顎部８ａが一体に形成されている。この下顎部８ａには垂直方向に貫通する吐出口１１が穿設されている。
【００３７】
図５に示すように、先筒部８はノズル筒５よりも狭い幅寸法で形成され、ノズル筒５の前方の端面で、且つ先筒部８の左右の外側面８Ａ，８Ａの外側の位置には逆Ｕ字形状からなる段差部８ｂが形成されている。また両外側面８Ａ，８Ａには、第１係止部１２を構成する一方の第１係止凸部１２ａ，１２ａが突設されている。図１及び図７などに示すように、第１係止凸部１２ａの前方には後方に向かって緩やかに幅広となるテーパー部１２ａ１が形成され、続くテーパー部１２ａ１の頂部には外側面８Ａに向かって垂直に切り立つアンダーカット部１２ａ２が形成されている。また下顎部８ａの先端には、第２係止部１３を構成する凸状の第２係止凸部１３ａが突設されている。
図２、図４及び図５などに示すように、先筒部８の正面８Ｂには流出路１０と、流出路１０に続く案内路１４の一部を構成するハーフパイプ状の後方案内路１４ａとが形成されている。
【００３８】
図１及び図２などに示すように、吐出カバー７は、左右の一対の側面７Ａ，７Ａと、この両側面７Ａどうしを連結する湾曲状の前面７Ｂを有すると共に、後部７Ｃ及び底部７Ｄ側が開口するフード状をしている。そして、前面７Ｂの上部とノズル筒５の先端上部とがヒンジ６を介して回動自在に連結されている。
【００３９】
図２に示すように、左右の両側面７Ａの内壁である内側面７Ａ１，７Ａ１には第１係止部１２を構成する第１係止凹部１２ｂ，１２ｂがそれぞれ形成され、前面７Ｂの内壁には、案内路１４の一部を構成するハーフパイプ状の前方案内路１４ｂが形成されている。そして、前方案内路１４ｂの上部で且つ流出路１０の末端と対向する位置には、凹状の湾曲面７ａが形成されている（図４参照）。
【００４０】
図４において吐出カバー７の前面７Ｂの下端となる位置には、第２係止部１３を構成する第２係止凹部１３ｂが形成されている。この第２係止凹部１３ｂは前面７Ｂの内壁に凹溝状に形成してもよいし、図２に示すように前面７Ｂを貫通する孔で形成してもよい。すなわち、本発明における第２係止凹部１３ｂは凹溝だけでなく、貫通孔をも含む概念であり、この点は第１係止凹部１２ｂにおいても同様である（以下の実施例も同様である）。
【００４１】
図１乃至図６に示すように、ヒンジ６を中心に吐出カバー７を回動させてノズル筒５の先端に組み付けると、吐出カバー７の左右の両側面７Ａ，７Ａ間に先筒部８が挿入され、先筒部８全体を覆い隠すことができる。このとき、先筒部８側の下顎部８ａの先端に形成された第２係止凸部１３ａと、吐出カバー７側の前面７Ｂ下端に形成された第２係止凹部１３ｂとが係止し合う。これにより、先筒部８に対する吐出カバー７の、特に高さ方向の位置決めが行われる。
【００４２】
同時に、図７及び図８に示すように、先筒部８側の左右の両外側面８Ａ，８Ａに形成された第１係止凸部１２ａ，１２ａが、吐出カバー７側の両内側面７Ａ１，７Ａ１に形成された第１係止凹部１２ｂ，１２ｂのテーパー部１２ａ１を相対的に乗り越えてアンダーカット部１２ａ２に対して分離不能にアンダーカット結合する。なお、吐出カバー７の後部７Ｃが、ノズル筒５の先端である逆Ｕ字形状からなる段差部８ｂに当接することで先筒部８全体が覆われることになる。
【００４３】
また図４に示すように、先筒部８側の後方案内路１４ａと吐出カバー７側の前方案内路１４ｂとが組み付けられて管状の案内路１４が形成される。これにより、ノズル筒５側の流出路１０の末端と先筒部８の下顎部８ａに形成された吐出口１１とが連通され、吸上路９、流出路１０、案内路１４及び吐出口１１に続く一連の流路が完成する。
【００４４】
ノズルヘッド１の成形にあたっては、図１及び図２に示すように、吐出カバー７を、ノズル筒５に対してヒンジ６を介して上方にほぼ９０度回動させた状態の形状からなる成形金型と、ノズル筒５内の流出路１０を形成する流出路成形用ピンを備えるスライドコア（図示せず）とを用いる射出成形法によって一体成形される。流出路成形用ピンの先端形状を他の部分よりも太く形成し、成形後に流出路成形用ピンを引く抜くことにより、ノズル筒５内に流出路１０と縮径部１０ａとが同時に形成される。
【００４５】
押圧ヘッド部２を押し下げると、図示しない容器から注出ポンプを介して吸い上げられた内溶液が、吸上路９→流出路１０の縮径部１０ａ→流出路１０の本体→案内路１４の順に流出して吐出口１１から吐出される。
この吐出過程においては、吸上路９から流出路１０に達した内溶液を、まず流出路１０内に形成された断面積の小さな縮径部１０ａを通過させることでその流速を減速させることができる。続いて、流出路１０から案内路１４を通過するときに、その流出方向を水平方向から下向き方向に変更させることにより、再度減速させることができる。
【００４６】
なお、吐出カバー７の内壁に凹状の湾曲面７ａを形成することにより、流出路１０を通過した内溶液の方向を、適正な方向、すなわち吐出口１１が形成された下向きに向けることが可能となる。
【００４７】
図９は本発明のノズルヘッドの第２実施例として、吐出カバーを組み付けた後の状態を示す側面図、図１０は図９に示すノズルヘッドの縦断面図である。
図９及び図１０に第２実施例として示すノズルヘッド１が、上記第１実施例のノズルヘッド１と異なる点は、押圧ヘッド部２の側面２Ａに対するノズル筒５の形成位置を上部にして、ノズル筒５の上面が押圧ヘッド部２の頂部２Ｂから延長される形状とした点にあり、その他の点は上記第１実施例のノズルヘッド１と同様の構成である。
【００４８】
図１１乃至図１７は本発明の第３実施例としてのノズルヘッドを示しており、図１１は吐出カバーを組み付ける前の状態を示す縦断面図、図１２はノズルヘッドの先端を拡大して示す平面図であると共に、吐出カバー組み付け前の状態を示す図、図１３はノズルヘッドの先端を拡大して示す側面図であると共に、吐出カバー組み付け前の状態を示す図、図１４はノズルヘッドの先端を拡大して示す底面図であると共に、吐出カバー組み付け前の状態を示す図、図１５はノズルヘッドの先端を拡大して示す正面図であると共に、吐出カバー組み付け前の状態を示す図、図１６はノズルヘッドの先端を拡大して示す側面図であると共に、吐出カバー組み付け後の状態を示す図、図１７は図１６の縦断面図である。なお、以下においては、第１実施例と同一部材については同一符号を付して説明する。
【００４９】
第３実施例に示すノズルヘッド１が、第１実施例のノズルヘッド１と異なる点は、ノズル筒５先端の構成、すなわちヒンジ６、吐出カバー７及び先筒部８の構成、具体的には吐出カバー７が先筒部８の下端側の位置にて回動自在に連結されている点が大きく相違しているが、その他の構成は上記第１実施例のノズルヘッド１と同様の構成である。
【００５０】
図１１に示すように、先筒部８の正面８Ｂに突出形成された下顎部８ａの先端と吐出カバー７の前面７Ｂの下部（図１７に示す吐出カバー組み付け後の状態で下部となる部分）との間にヒンジ６が形成されており、吐出カバー７はこの下部側に設けられたヒンジ６を介して先筒部８に対して回動自在に連結されている。
【００５１】
図１２、図１３及び図１５などに示すように、先筒部８の左右の両外側面８Ａ，８Ａには第１係止部１２の一方を構成する第１係止凸部１２ａ，１２ａが形成され、これと対向する吐出カバー７の両内側面７Ａ１，７Ａ１には第１係止部１２の他方を構成する第１係止凹部１２ｂ，１２ｂが形成されている。また先筒部８の上面８Ｃには第２係止部１３の一方を構成する第２係止凸部１３ａが形成され、これと対向する吐出カバー７の前面７Ｂの上部（図１７に示す吐出カバー組み付け後の状態で上部となる部分）には第２係止部１３の他方を構成する第２係止凹部１３ｂが形成されている。
【００５２】
ヒンジ６を中心として、図１１に示す矢印方向に吐出カバー７を略１８０度回動させることにより、上記同様に吐出カバー７をノズル筒５の先端に組み付けることができ、先筒部８を吐出カバー７で覆い隠すことができる。
【００５３】
このとき、先筒部８側の第２係止凸部１３ａと吐出カバー７の第２係止凹部１３ｂとが係合し合う。これにより、先筒部８に対する吐出カバー７の、特に高さ方向の適正な位置決めが行われる。
【００５４】
同時に、先筒部８側の第１係止凸部１２ａと吐出カバー７側の第１係止凹部１２ｂとが分離不能にアンダーカット結合する。そして、吐出カバー７の後部７Ｃがノズル筒５の先端である逆Ｕ字形状からなる段差部８ｂに当接する。
【００５５】
そして、第１実施例同様に、先筒部８側の後方案内路１４ａと吐出カバー７側の前方案内路１４ｂとが組み付けられて管状の案内路１４が形成され、ノズル筒５側の流出路１０の末端と先筒部８の下顎部８ａに形成された吐出口１１とが連通されて吸上路９、流出路１０、案内路１４及び吐出口１１に続く一連の流路が完成する（図１７参照）。
【００５６】
第３実施例においても第１実施例同様に、流出路１０の奥部先端に縮径部１０ａが設けられ、且つ組み付き合った先筒部８と吐出カバー７との間には案内路１４が形成されている（図１１参照）。
よって、内溶液の吐出過程において、吸上路９から流出路１０に達した内溶液を、流出路１０内に形成された断面積の小さな縮径部１０ａを通過させることでその流速を減速させることができ、続く案内路１４を通過する際に、その流出方向を水平方向から下向き方向に変更させることで更なる減速を達成することが可能となる。
【００５７】
なお、吐出カバー７の内壁に凹状の湾曲面７ａを形成することにより、流出路１０を通過した内溶液の方向を、適正な方向、すなわち吐出口１１が形成された下向きに向けることが可能となる。
【００５８】
図１８は第１実施例の変形例として、ノズルヘッドの先端を拡大して示す縦断面図である。
図１８に第１実施例の変形例として示すノズルヘッド１が、第１実施例のノズルヘッド１と異なる点は、吐出カバー７の構成にあり、その他の構成は上記第１実施例のノズルヘッド１と同様である。
【００５９】
図１８に示すように、この変形例においても、第２係止部１３を構成する第２係止凹部１３ｂが前面７Ｂを貫通する貫通孔７ｂで形成されており、この貫通孔７ｂ内に、下顎部８ａの先端に突設された凸状の第２係止凸部１３ａが挿入されることで係止し合う点は上記第１実施例と同様である。
【００６０】
ただし、この変形例では、貫通孔７ｂの上面に漏れ防止片８ａ１が一体に形成されている構成である点で異なっている。
この漏れ防止片８ａ１は、吐出カバー７を回動させて先筒部８全体を覆い、先筒部８側の第２係止凸部１３ａと吐出カバー７側の第２係止凹部１３ｂとが係止し合うと、下顎部８ａ先端で且つ第２係止凸部１３ａの上部分に面対向するように設置される。これにより、案内路１４を通過する内溶液の貫通孔７ｂからの液漏れを防止することが可能となる。
【００６１】
図１９は第１実施例の他の変形例として、ノズルヘッドの先端を拡大して示す縦断面図であり、図１８に示す第１実施例の変形例のさらなる変形例に相当している。
図１９に第１実施例の他の変形例として示すノズルヘッド１が、図１８に示す第１実施例の変形例と異なる点は、ノズル筒５の先端と吐出カバー７とが接する部分の構成にあり、その他の構成は上記第１実施例のノズルヘッド１と同様である。
【００６２】
図１９に示す他の変形例では、吐出カバー７をノズル筒５の先端に組み付けた状態において、吐出カバー７側の案内路１４の上端をこれと対向するノズル筒５先端の流出路１０の開口端よりも上方に広げた構成としたものである。すなわち、吐出カバー７の湾曲面７ａ上部の内壁天面７ｃの高さ位置を、ノズル筒５の流出路天面１０ｂの高さ位置よりも僅かに上側となるように形成することにより、組み付け状態において内壁天面７ｃと流出路天面１０ｂとの間に内壁天面７ｃ側を上方に広げる段差１５が形成されている。
【００６３】
内壁天面７ｃと流出路天面１０ｂとを同一平面で形成する思想では、製造誤差等により内壁天面７ｃが流出路天面１０ｂよりも下方の位置に形成されてしまう場合がある。このような場合には、内容液が流出路１０から案内路１４に流出する際に吐出カバー７側の内壁天面７ｃの角に当たって飛散し、飛散した内容液の一部が内壁天面７ｃと流出路天面１０ｂとの連結部分に形成される隙間を介して外部に漏れる可能性がある。
【００６４】
しかしながら、図１９に第１実施例の他の変形例のように、内壁天面７ｃと流出路天面１０ｂとの間に内壁天面７ｃ側を上方に広げた段差１５を有する構成とすることにより、内容液が流出路１０から案内路１４に流出する際に吐出カバー７側の内壁天面７ｃの角に当たって飛散することがなくなる。よって、上流側の流出路１０から下流側の案内路１４に流出する内容液の流れが円滑となり、内容液の漏れを防止することが可能となる。
【００６５】
以上のように、上記第１乃至第３実施例及び上記変形例においては、ノズルヘッド１内に、流出路１０の前後に案内路１４と縮径部１０ａをそれぞれ設けることにより、内部を流れる内溶液の流速を二重に減速させることができる。よって、押圧ヘッド部２を大きな力で押し下げても吐出口１１から吐出される内溶液の速度を十分に減速させることが可能である。
【００６６】
ところで、本発明のノズルヘッドに使用される内容液としての液体口腔組成物としては、例えばアニオン界面活性剤、カチオン界面活性剤、両性界面活性剤及びノニオン界面活性剤のうち少なくとも１つ以上の界面活性剤を含有するものが好ましい。
この場合の界面活性剤の総含有量は０．０１重量％以上、５．０重量％以下が好ましく、さらには以下に述べる試験法によって測定した２５℃における粘度が０ｍＰａ・ｓ以上、５０ｍＰａ・ｓ以下であるものが好ましい。
【００６７】
粘度測定法（口腔用組成物）
３００ｍｌのトールビーカーに口腔用組成物３００ｇを量り取る。次に、２５℃恒温水槽に１時間静置後、ＢＬ型粘度計を用いて正確に１分後の粘度を測定する。
なお、粘度計は東京計器社製のＢＬ型粘度計を用い、測定条件はローターＮｏ．１、回転数６０ｒｐｍである。
【００６８】
なお、液体口腔用組成物の好適な成分及び配合量の実施例として、ノニオン界面活性剤（ポリオキシエチレン（６０）硬化ヒマシ油又はポリオキシエチレン（４０）硬化ヒマシ油）を使用した例を以下の表１〜表３に示す。
【００６９】
【表１】
0005888677.tif 000002
【００７０】
【表２】
0005888677.tif 000003
【００７１】
【表３】
0005888677.tif 000004
【００７２】
以上、実施例に沿って本発明の構成とその作用効果について説明したが、本発明の実施の形態は上記実施例に限定されるものではない。
例えば、上記各実施例では、第１係止部１２について、先筒部８の左右の外側面８Ａ，８Ａに第１係止凸部１２ａ，１２ａを、吐出カバー７の両内側面７Ａ１，７Ａ１に第１係止凹部１２ｂ，１２ｂを形成した構成を示して説明したが、先筒部８側に第１係止凹部１２ｂ，１２ｂを形成し、吐出カバー７側に第１係止凸部１２ａ，１２ａを形成した構成であってもよい。
【００７３】
同様に、第２係止部１３についても、第２係止凸部１３ａを吐出カバー７の前面７Ｂの内壁に設け、第２係止凹部１３ｂを下顎部８ａの先端または先筒部８の上面８Ｃに形成した構成としたものであってもよい。
【００７４】
また案内路１４を縮径状に形成して流出路１０の断面積よりも小さくする構成とすることにより、吐出口１１から吐出する内溶液の速度を減速してその勢いを弱化させるようにすることも可能である。
【産業上の利用可能性】
【００７５】
本発明のノズルヘッドは、容器内に充填された口内洗浄剤（液体口腔用組成物）や消毒用アルコールなど粘性が低く固化しにくい内容液を注出するための手動押下げ注出ポンプ用のノズルヘッド分野における用途展開をさらに広い領域で図ることができる。
【符号の説明】
【００７６】
１    ；  ノズルヘッド
２    ；  押圧ヘッド部
３    ；  連結部
４    ；  ノズル部
５    ；  ノズル筒
６    ；  ヒンジ
７    ；  吐出カバー
７Ａ  ；  側面
７Ａ１；  内側面
７Ｂ  ；  前面
７Ｃ  ；  後部
７Ｄ  ；  底部
７ａ  ；  湾曲面
７ｂ  ；  貫通孔
７ｃ  ；  内壁天面
８    ；  先筒部
８Ａ  ；  外側面
８Ｂ  ；  正面
８Ｃ  ；  上面
８ａ  ；  下顎部
８ａ１；  漏れ防止片
８ｂ  ；  段差部
９    ；  吸上路
１０  ；  流出路
１０ａ；  縮径部
１０ｂ；  流出路天面
１１  ；  吐出口
１２  ；  第１係止部
１２ａ；  第１係止凸部（第１係止部）
１２ａ１；  テーパー部
１２ａ２；  アンダーカット部
１２ｂ；  第１係止凹部（第１係止部）
１３  ；  第２係止部
１３ａ；  第２係止凸部（第２係止部）
１３ｂ；  第２係止凹部（第２係止部）
１４  ；  案内路
１４ａ；  後方案内路
１４ｂ；  前方案内路
１５  ；  段差
【図１】
0005888677.tif 000005
【図２】
0005888677.tif 000006
【図３】
0005888677.tif 000007
【図４】
0005888677.tif 000008
【図５】
0005888677.tif 000009
【図６】
0005888677.tif 000010
【図７】
0005888677.tif 000011
【図８】
0005888677.tif 000012
【図９】
0005888677.tif 000013
【図１０】
0005888677.tif 000014
【図１１】
0005888677.tif 000015
【図１２】
0005888677.tif 000016
【図１３】
0005888677.tif 000017
【図１４】
0005888677.tif 000018
【図１５】
0005888677.tif 000019
【図１６】
0005888677.tif 000020
【図１７】
0005888677.tif 000021
【図１８】
0005888677.tif 000022
【図１９】
0005888677.tif 000023